(57)【要約】【課題】組立てが容易な照明器具組み込みの植物栽培用ラックを提供する。【解決手段】支柱３ｂ〜５ａ間に架設されて植物栽培用コンテナＣを支持する棚１の上方に、下側面１７が光反射面となっている盤状体１０が棚１と平行に着脱自在に支持され、この盤状体１０は、前記棚１のコンテナ支持面全体を覆う大きさのもので、この盤状体１０には、下側の棚１のコンテナ支持面を照明する照明器具１８が取り付けられ、この盤状体１０の下側空間を囲み且つ内側面が光反射面となっている囲い板１３〜１６が設けられ、この囲い板１３〜１６の内、少なくとも棚間口方向と平行な前後両囲い板１３，１４は、前記盤状体１０に取り付けられた構成。【選択図】図１
2011115099.tif 000002
【特許請求の範囲】
【請求項１】
支柱間に架設されて植物栽培用コンテナを支持する棚の上方に、下側面が光反射面となっている盤状体が棚と平行に着脱自在に支持され、この盤状体は、前記棚のコンテナ支持面全体を覆う大きさのもので、この盤状体には、下側の棚のコンテナ支持面を照明する照明器具が取り付けられ、この盤状体の下側空間を囲み且つ内側面が光反射面となっている囲い板が設けられ、この囲い板の内、少なくとも棚間口方向と平行な前後両囲い板は、前記盤状体に取り付けられている、植物栽培用ラック。
【請求項２】
前記前後両囲い板の内、前側の囲い板は、前記盤状体の前側辺に蝶番を介して上下開閉自在に取り付けられている、請求項１に記載の植物栽培用ラック。
【請求項３】
前記盤状体は、棚を含むラック構成部材から吊り具を介して吊り下げられている、請求項１又は２に記載の植物栽培用ラック。
【請求項４】
前記盤状体は、ラックの前後両支柱間に取り付けられた左右一対の盤状体受け具に、棚間口方向両端の左右両側辺が支持されている、請求項１又は２に記載の植物栽培用ラック。
【請求項５】
前記囲い板の内、棚奥行き方向と平行な左右両囲い板も前記盤状体に取り付けられている、請求項１〜４の何れか１項に記載の植物栽培用ラック。
【請求項６】
前記盤状体は、ラックの前後両支柱間に取り付けられた左右一対の棚受けに、棚間口方向両端の左右両側辺が支持され、前記囲い板の内、棚奥行き方向と平行な左右両囲い板は、前記盤状体の左右両側辺を支持する左右一対の棚受けに取り付けられている、請求項１又は２に記載の植物栽培用ラック。
【請求項７】
前記棚が奥行き方向に複数列に植物栽培用コンテナを支持できる奥行きを有し、前記盤状体は、棚奥行き方向のコンテナ列毎に分割された盤状体単体から構成されている、請求項１〜６の何れか１項に記載の植物栽培用ラック。
【請求項８】
前記盤状体は、下側面が光反射面となっている底板部と、この底板部の前後両側辺から上側に折曲連設された前後両側板部と、前記底板部の左右両側辺に沿って当該底板部の上に載置固定された左右一対の奥行き方向門形カバー材と、前記底板部の上に前後両側辺と平行向きに載置固定された間口方向門形カバー材とから構成され、前記照明器具は、前記左右一対の奥行き方向門形カバー材の内側で前記底板部に取り付けられた左右一対のソケットと、前記間口方向門形カバー材の内側で前記底板部上に取り付けられた安定器を備えた蛍光灯型照明器具である、請求項１〜７の何れか１項に記載の植物栽培用ラック。
【発明の詳細な説明】
【技術分野】
【０００１】
本発明は、植物栽培用コンテナを使用して植物栽培が簡単に行える植物栽培用ラックに関するものである。
【背景技術】
【０００２】
ラックの棚に植物栽培用コンテナを立体的に支持して植物栽培を行う場合、当該コンテナ内に植え込まれた植物に対して効率良く照明する必要がある。即ち、この種の植物栽培用ラックには、照明器具を組み込まなければならないが、従来周知のこの種のラックは、例えば特許文献１に記載されるように、ラックの棚の上側に、それぞれ光反射板を備えた照明器具を適当な配置で配設するか又は、照明器具それぞれには光反射板を設けずに複数の照明器具に共通の大きな光反射板を設け、この光反射板の下側に照明器具を取り付けるものであった。
【先行技術文献】
【特許文献】
【０００３】
【特許文献１】特開２００８−２４５５５４号公報
【発明の概要】
【発明が解決しようとする課題】
【０００４】
上記のような従来の植物栽培用ラックでは、棚上に載置された植物栽培用コンテナの上側の植物栽培空間に対する照明効果を高めるためには、照明器具上側に光反射板を配設するだけでなく、植物栽培用空間を光反射板が囲むような囲い手段を設けて、この囲い手段の内側に照明器具の光源を配置しなければならない。しかしながら、植物栽培用コンテナを載置する棚上の表面積に適合したサイズの上側光反射板や、この上側光反射板の周辺から垂下する４枚の側面光反射板を準備してこれらを個々にラックに組み付けると共に、上側光反射板の下側に必要個数の照明器具を取り付け、更に各照明器具を電源に接続する作業を行なう必要があるので、照明を備えた植物栽培用ラックを完成させるのに多大の手間と時間を要するという問題点があった。
【課題を解決するための手段】
【０００５】
本発明は、上記のような従来の問題点を解消することのできる植物栽培用ラックを提案するものであって、請求項１に記載の本発明に係る植物栽培用ラックは、後述する実施例との関係を理解し易くするために、当該実施例の説明において使用した参照符号を括弧付きで付して示すと、支柱(3a〜5b)間に架設されて植物栽培用コンテナ(C)を支持する棚(1)の上方に、下側面(17)が光反射面となっている盤状体(10)が棚(1)と平行に着脱自在に支持され、この盤状体(10)は、前記棚(1)のコンテナ支持面全体を覆う大きさのもので、この盤状体(10)には、下側の棚(1)のコンテナ支持面を照明する照明器具(18)が取り付けられ、この盤状体(10)の下側空間を囲み且つ内側面が光反射面となっている囲い板(13〜16)が設けられ、この囲い板(13〜16)の内、少なくとも棚間口方向と平行な前後両囲い板(13,14)は、前記盤状体(10)に取り付けられた構成になっている。
【０００６】
上記本発明を実施する場合、具体的には請求項２に記載のように、前記前後両囲い板(13,14)の内、前側の囲い板(13)は、前記盤状体(10)の前側辺に蝶番(20)を介して上下開閉自在に取り付けることができる。
【０００７】
又、前記盤状体(10)は、請求項３に記載のように、棚(1,2)を含むラック構成部材、例えば植物栽培用コンテナ(C)を支持する上段の棚(1)や、ラックの天井を構成する天井棚(2))などから吊り具(32)を介して吊り下げても良いし、請求項４に記載のように、ラックの前後両支柱(3a〜5b)間に取り付けられた左右一対の盤状体受け具(50)（植物栽培用コンテナ(C)を支持する棚(1)を支持する棚受け(33)を転用することができる）に、盤状体(10)の棚間口方向両端の左右両側辺を支持させることもできる。
【０００８】
前記囲い板(13〜16)の内、棚奥行き方向と平行な左右両囲い板(15,16)は、請求項５に記載のように、前後両囲い板(13,14)と同様に前記盤状体(10)に取り付けることができるが、請求項４に記載のように、前記盤状体(10)の棚間口方向両端の左右両側辺が、ラックの前後両支柱(3a〜5b)間に取り付けられた左右一対の盤状体受け具(50)に支持されるときは、請求項６に記載のように、当該盤状体受け具(50)に前記棚奥行き方向と平行な左右両囲い板(15,16)を取り付けることもできる。
【０００９】
ラックの棚(1)が奥行き方向に複数列に植物栽培用コンテナ(C)を支持できる奥行きを有する場合、この奥行きに適合した奥行きを有する大型の盤状体(10)を構成しても良いが、請求項７に記載のように、前記盤状体(10)は、棚奥行き方向のコンテナ列毎に分割された盤状体単体(11A〜11D)から構成することができる。
【００１０】
更に、請求項８に記載のように、前記盤状体(10)は、下側面が光反射面となっている底板部(26)と、この底板部(26)の前後両側辺から上側に折曲連設された前後両側板部(27a,27b)と、前記底板部(26)の左右両側辺に沿って当該底板部(26)の上に載置固定された左右一対の奥行き方向門形カバー材(28a,28b)と、前記底板部(26)の上に前後両側辺と平行向きに載置固定された間口方向門形カバー材(29)とから構成し、前記照明器具は、前記左右一対の奥行き方向門形カバー材(28a,28b)の内側で前記底板部(26)に取り付けられた左右一対のソケット(19b,19c)と、前記間口方向門形カバー材(29)の内側で前記底板部(26)上に取り付けられた安定器(19g)を備えた蛍光灯型照明器具(18)とすることができる。
【発明の効果】
【００１１】
請求項１に記載の本発明の構成によれば、照明器具をラックの棚上方に取り付けるように盤状体を取り付けるだけで、植物栽培用コンテナを支持する棚全体の上方を覆う天井側の光反射板の取付けと、当該天井側光反射板の前後両側辺から垂下する前後両光反射板（前後両囲い板）の取付けと、前記天井側光反射板の下側に対する照明器具の取付けとが完了し、仮に前記天井側光反射板の左右両側辺から垂下する左右両光反射板（左右両囲い板）を前記盤状体とは別途取り付ける必要があるとしても、植物栽培用コンテナを支持する棚を備えたラックを、その棚の上側に照明器具と、その光源を取り囲むと共に当該棚のコンテナ支持面全体を覆う大きさの内側光反射面の囲いを備えた植物栽培用ラックに構成するための手間と時間を大幅に短縮することができる。
【００１２】
尚、請求項２に記載の構成によれば、仮に囲い板の高さ（盤状体からの垂下長さ）を大きくしても、棚との間で植物栽培用コンテナを出し入れする場合や、栽培植物に対するメンテナンス作業に際しては、前側の囲い板を手前上方に開動させ、前側を大きく開放させて当該作業を容易に行なうことができる。換言すれば、棚のコンテナ支持面全体を覆う大きさの内側光反射面の囲いの下辺をできる限り低くして、棚のコンテナ支持面に載置された植物栽培用コンテナの周囲の開放された隙間の上下高さを低くし、以て、照明器具の照明効果を高めることも容易になる。
【００１３】
又、盤状体を棚の上方所定高さに取り付ける手段としては種々考えられるところであるが、請求項３に記載の構成によれば、棚を含むラック構成部材側に、チエン、ワイヤーロープなどの紐状体、Ｓ杆など各種の吊り具の係止個所を確保するだけで、照明器具や光反射面を備えた囲い手段を備えた盤状体を簡単容易に着脱することができる。勿論、請求項４に記載の構成によれば、ラックの各段の棚を支持する棚受けを盤状体受け具に転用するなどして、上記盤状体を安定良く確実に支持させることができる。
【００１４】
又、請求項５に記載の構成によれば、盤状体の下側空間を囲む囲い板の全てが盤状体に取り付けられることになるので、左右両側板を別途ラック側に適当な手段で取り付けなければならない場合よりも、ラック側に対する部材の着脱作業工数が少なくなり、一層簡単容易に植物栽培用ラックを組み立てることができる。勿論、請求項６に記載のように構成して、ラックの支柱に隣接することになる左右両側囲い板が盤状体に取り付けられている場合よりも、盤状体の着脱作業を容易にすることもできる。
【００１５】
更に、奥行き方向に複数列に植物栽培用コンテナを支持できる奥行きの大きな棚を備えた大型のラックの場合、請求項７に記載の構成によれば、当該奥行きの大きな棚に合わせた奥行きの大きな大型の盤状体を使用する場合と比較して、ラックに対する盤状体の着脱作業に際して１つのコンテナ列の幅に相当する奥行きの小さな盤状体単体に分けて作業できるので、作業性を向上させることができる。又、１種類の盤状体を各種の奥行きサイズのラックに適用することができ、コストダウンを図ることができる。
【００１６】
又、請求項８に記載の構成によれば、盤状体の左右方向（棚間口方向）の曲げ強度を前後両側板部と間口方向門形カバー材とで確保すると共に、盤状体の前後方向（棚奥行き方向）の曲げ強度を左右一対の奥行き方向門形カバー材で確保することができるので、盤状体全体を比較的板厚の薄い薄板で構成して、軽量化とコストダウンを図ることができる。しかも上記のように曲げ強度を高めるための間口方向門形カバー材は、蛍光灯型照明器具の安定器及びその周辺の配線の保護カバーとして役立たせると共に、左右一対の奥行き方向門形カバー材は、盤状体底板部から上側に突出する前記蛍光灯型照明器具の左右一対のソケットの取付け座部及びその周辺の配線の保護カバーとして役立たせることができる。
【図面の簡単な説明】
【００１７】
【図１】本発明の一実施例に係る植物栽培用ラックの一部縦断正面図である。
【図２】同上ラックの一部縦断側面図である。
【図３】同上ラックの植物栽培用コンテナを支持する棚を示す横断平面図である。
【図４】同上ラックの盤状体を示す横断平面図である。
【図５】同上ラックにおける１つの盤状体単体を示す一部切欠き平面図である。
【図６】同盤状体単体における照明器具とその電源回路の構成を説明するブロック線図である。
【図７】Ａ図は図５の縦断正面図、Ｂ図はＡ図のＢ部拡大図である。
【図８】同上ラックの盤状体取付け構造を示す要部の縦断側面図である。
【図９】別の実施例における盤状体取付け構造を示す要部の縦断側面図である。
【発明を実施するための形態】
【００１８】
図１〜図４に示すラックは、上下複数段のコンテナ支持用棚１とラックの天井を構成する天井棚２とを備えている。各段のコンテナ支持用棚１と天井棚２は、右端側前後一対の支柱３ａ，３ｂと中央部前後一対の支柱４ａ，４ｂとで左右両端が支持された右側前後２列の棚板６，７と、中央部前後一対の支柱４ａ，４ｂと左端側前後一対の支柱５ａ，５ｂとで左右両端が支持された左側前後２列の棚板８，９から構成されている。全ての棚板６〜９は同一サイズのものであって、それぞれ棚間口方向に同一サイズの２つの植物栽培用コンテナＣを支持することができる長さを有するものであるから、各段のコンテナ支持用棚１及び天井棚２は、同一サイズの８つの植物栽培用コンテナＣを前後方向２列に支持することができる面積を有する矩形状のものである。
【００１９】
各段のコンテナ支持用棚１の真上に位置するコンテナ支持用棚１の下側及び天井棚２の下側には、直下の各段のコンテナ支持用棚１と平行に盤状体１０が配設されている。これら各段の盤状体１０は、その直下に位置するコンテナ支持用棚１を構成する４つの棚板６〜９と平面視において略同一サイズの、４つに分割された盤状体単体１１Ａ〜１１Ｄから構成されている。そして各段の盤状体１０の周囲には、当該盤状体１０の下側空間を取り囲む囲い手段１２が配設されている。この囲い手段１２は、棚間口方向と平行な前後の囲い板１３，１４と棚奥行き方向と平行な左右の囲い板１５，１６から構成され、各囲い板１３〜１５の内側面は光反射面となっている。
【００２０】
各段の盤状体１０を構成する４つの盤状体単体１１Ａ〜１１Ｄの下側面１７は光反射面に構成されており、これら各盤状体単体１１Ａ〜１１Ｄには、それぞれ蛍光灯型照明器具１８が、その光源である２本の蛍光管１９ａ，１９ｂが盤状体単体１１Ａ〜１１Ｄの下側で棚間口方向と平行向きで前後２列に並ぶように取り付けられている。
【００２１】
前記囲い手段１２の前側の囲い板１３は、その内側の左右２つの盤状体単体１１Ａ，１１Ｃの前側辺にそれぞれ蝶番２０を介して上下開閉自在に軸支された２枚の囲い板単体１３ａ，１３ｂから構成されたもので、それぞれ上側辺には、盤状体単体１１Ａ，１１Ｃの直下で当該盤状体単体１１Ａ，１１Ｃに沿って通風用開口２１が形成され、後ろ側の囲い板１４は、その内側の左右２つの盤状体単体１１Ｂ，１１Ｄの後側辺にそれぞれ止め具（ビス、ボルト、リベットなど）により取り付けられた２枚の囲い板単体１４ａ，１４ｂから構成されたもので、それぞれ上側辺には、盤状体単体１１Ｂ，１１Ｄの直下で当該盤状体単体１１Ｂ，１１Ｄに沿って通風用開口２２が設けられている。
【００２２】
又、囲い手段１２の左右の囲い板１５，１６は、その内側の前後２つの盤状体単体１１Ａ〜１１Ｄの側辺に止め具（ビス、ボルト、リベットなど）により取り付けられた前後２枚の囲い板単体１５ａ，１５ｂ及び１６ａ，１６ｂから構成されたもので、それぞれ上側辺には、盤状体単体１１Ａ〜１１Ｄの直下で当該盤状体単体１１Ａ〜１１Ｄに沿って通風用開口２３，２４が形成され、右側（左側でも良い）の囲い板１５には、その２枚の囲い板単体１５ａ，１５ｂ毎に、外気を取り込んで内側へ送風する送風用ファン２５ａ，２５ｂが取り付けられている。
【００２３】
以下に各盤状体単体１１Ａ〜１１Ｄの詳細構造を、図５〜図８に基づいて説明すると、この盤状体単体１１Ａ〜１１Ｄの光反射面である下側面１７を形成する底板部２６と、この底板部２６の棚間口方向と平行な前後両側辺から上向きに折曲連設された縦断面内向きコ字形の前後両側板部２７ａ，２７ｂと、前記底板部２６の左右両側辺に沿って当該底板部２６の上に載置固定された左右一対の奥行き方向門形カバー材２８ａ，２８ｂと、前記底板部２６の上に前後両側辺と平行向きに載置固定された間口方向門形カバー材２９とから構成されている。前記左右一対の奥行き方向門形カバー材２８ａ，２８ｂの前後両端は、前後両側板部２７ａ，２７ｂの内側に入り込んでこれら両側板部２７ａ，２７ｂに隣接し、前記間口方向門形カバー材２９は、その両端が左右一対の奥行き方向門形カバー材２８ａ，２８ｂの中間位置に隣接し、これら左右一対の奥行き方向門形カバー材２８ａ，２８ｂと間口方向門形カバー材２９とで、平面視Ｈ形の補強用構造体を形成している。尚、間口方向門形カバー材２９は、縦断面形状が両勾配の屋根形である。
【００２４】
尚、盤状体単体１１Ａ，１１Ｃに対して前側の囲い板単体１３ａ，１３ｂを取り付ける蝶番２０は、盤状体単体１１Ａ，１１Ｃの前側の側板部２７ａの垂直板部に止め具により取り付けられ、後ろ側の囲い板単体１４ａ，１４ｂは、盤状体単体１１Ｂ，１１Ｄの後ろ側の側板部２７ｂの垂直板部に止め具により取り付けられる。又、左右両側の囲い板単体１５ａ〜１６ｂは、その上側辺に隣接する盤状体単体１１Ａ〜１１Ｄの奥行き方向門形カバー材２８ａ又は２８ｂの外側垂直板部とこれに続く水平天井板部との間の出隅部に嵌合する倒立Ｌ形の取付け板部３０が設けられており、この取付け板部３０が奥行き方向門形カバー材２８ａ又は２８ｂの外側垂直板部に止め具により取り付けられる。
【００２５】
各盤状体単体１１Ａ〜１１Ｄに取り付けられる前記蛍光灯型照明器具１８の２本の蛍光管１９ａ，１９ｂを取り付ける左右一対のソケット１９ｃ，１９ｄ及び１９ｅ，１９ｆは、前記左右一対の奥行き方向門形カバー材２８ａ，２８ｂの内側で底板部２６を上から下向きに挿通し、各ソケット１９ｃ〜１９ｆの取付け座部が底板部２６上に固定されている。そしてこの蛍光灯型照明器具１８の２本の蛍光管１９ａ，１９ｂに共通の安定器１９ｇが、前記間口方向門形カバー材２９の内側で底板部２６上に載置固定されている。
【００２６】
以上のように構成された各盤状体単体１１Ａ〜１１Ｄは、その前後両側板部２７ａ，２７ｂの上端内向き水平板部の長さ方向両端近傍位置に設けられた吊下げ用孔３１を利用して、盤状体１０の真上に位置するコンテナ支持用棚１又は天井棚２に、チエン、ワイヤーロープなどの紐状体、Ｓ杆など各種の吊り具３２を介して吊り下げられている。尚、コンテナ支持用棚１及び天井棚２を構成する各棚板６〜９は、従来周知のもので、右端側前後一対の支柱３ａ，３ｂの内側、中央部前後一対の支柱４ａ，４ｂの両側、及び左端側前後一対の支柱５ａ，５ｂの内側にそれぞれ架設された棚受け３３に、その棚間口方向の両端が支持されるものであって、これら各棚板６〜９の前後両側辺に下向きに折曲連設されている縦断面内向きコ字形の前後両側板部３４ａ，３４ｂの下端水平板部に、前記吊り具３１を係止するための盤状体吊下げ用孔が設けられている。
【００２７】
上記のようにコンテナ支持用棚１の下側又は天井棚２の下側に吊り下げられる各盤状体単体１１Ａ〜１１Ｄは、右端側前後一対の支柱３ａ，３ｂと中央部前後一対の支柱４ａ，４ｂとの間、及び中央部前後一対の支柱４ａ，４ｂと左端側前後一対の支柱５ａ，５ｂとの間に吊り下げられるので、中央部前後一対の支柱４ａ，４ｂ間には、棚間口方向に隣り合う盤状体単体１１Ａ，１１Ｂ間及び盤状体単体１１Ｃ，１１Ｄ間には、相当の隙間が生じることになるので、この実施例では、この盤状体単体１１Ａ，１１Ｂ間及び盤状体単体１１Ｃ，１１Ｄ間の隙間を埋めるための前後一対のカバー材３５Ａ，３５Ｂが組み込まれている。このカバー材３５Ａ，３５Ｂは、それぞれ外端側に支柱４ａ又は支柱４ｂに外嵌する二股部３５ａを備えると共に、囲い板単体１５ａ〜１６ｂの上側辺に形成した倒立Ｌ形の取付け板部３０と同一の倒立Ｌ形の取付け板部３５ｂ，３５ｃを左右両側辺から上向きに折曲連設されている。
【００２８】
この前後一対のカバー材３５Ａ，３５Ｂを、盤状体単体１１Ａ，１１Ｂ間及び盤状体単体１１Ｃ，１１Ｄ間に、それぞれの二股部３５ａを支柱４ａ，４ｂに外嵌させると共に取付け板部３５ｂ，３５ｃを、これらカバー材３５Ａ，３５Ｂが隣接する両側の盤状体単体１１Ａ〜１１Ｄの奥行き方向門形カバー材２８ａ，２８ｂの外側垂直板部とこれに続く水平天井板部との間の出隅部に嵌合させ、当該取付け板部３５ｂ，３５ｃを奥行き方向門形カバー材２８ａ，２８ｂの水平天井板部に上から止め具により取り付けることにより、棚間口方向に隣り合う盤状体単体１１Ａ，１１Ｂ間及び盤状体単体１１Ｃ，１１Ｄ間の隙間を前記カバー材３５Ａ，３５Ｂにより塞ぐことができる。尚、このように取り付けられたカバー材３５Ａ，３５Ｂは、両隣の盤状体単体１１Ａ，１１Ｂ及び盤状体単体１１Ｃ，１１Ｄの底板部２６とほぼ面一の状態にある。勿論、前後一対のカバー材３５Ａ，３５Ｂの内端は互いに隣接して、棚奥行き方向に連続したカバー面を形成する。
【００２９】
各盤状体単体１１Ａ〜１１Ｄでは、図５に示すように、蛍光灯型照明器具１８の２本の蛍光管１９ａ，１９ｂのソケット１９ｃ〜１９ｆと安定器１９ｇとが接続線３６，３７によって接続されると共に、安定器１９ｇは、両端にコネクタ３８ａ，３８ｂを備えた電源接続コード３９に並列に接続されている。前記接続線３６，３７は、盤状体単体１１Ａ〜１１Ｄの底板部２６と奥行き方向門形カバー材２８ａ，２８ｂとの間の空間、当該奥行き方向門形カバー材２８ａ，２８ｂの側板部に設けられた開口部４０、及び当該底板部２６と間口方向門形カバー材２９との間の空間を経由するように配線され、電源接続コード３９は底板部２６と間口方向門形カバー材２９との間の空間内に納められている。そして、各盤状体単体１１Ａ〜１１Ｄの蛍光灯型照明器具１８は、それぞれの電源接続コード３９を介して各蛍光灯型照明器具１８どうしを並列に接続する電源中継コード４１、即ち、電源接続コード３９のコネクタ３８ａ，３８ｂに接続自在なコネクタ４２ａ，４２ｂを両端に備えた電源中継コード４１、を介して電源コード４３に並列に接続することができ、この電源コード４３を電源コンセントに接続することによって、各蛍光灯型照明器具１８に電源電圧を印荷し、蛍光管１９ａ，１９ｂを点灯させることができる。
【００３０】
上記の電源中継コード４１を介して１つの電源コード４３に並列に接続される蛍光灯型照明器具１８は、１つのラックが備える全ての蛍光灯型照明器具１８であっても良いが、この１つのラックが備える多数の蛍光灯型照明器具１８を複数グループ、例えば盤状体１０が備える同一レベルにある４つの蛍光灯型照明器具１８を１グループとして複数グループに分け、各グループ内の複数の蛍光灯型照明器具１８を、電源中継コード４１を介して１つの電源コード４３に並列に接続しても良い。何れにしても、前後に隣り合う盤状体単体１１Ａ，１１Ｂ又は１１Ｃ，１１Ｄの蛍光灯型照明器具１８どうしを並列に接続する電源中継コード４１は、間口方向門形カバー材２９の側板部に設けられた開口部４４と、各盤状体単体１１Ａ〜１１Ｄの互いに隣接する前後両側板部２７ａ，２７ｂの側板部に設けられて互いに連通する開口部４５とを利用して、各盤状体単体１１Ａ〜１１Ｄの底板部２６上で配線することができる。
【００３１】
尚、この実施例では、図６に示すように、各盤状体単体１１Ａ〜１１Ｄの蛍光灯型照明器具１８の電源回路（例えば安定器１９ｇと電源中継コード４１との間）毎に電源スイッチ４６を介装し、各盤状体単体１１Ａ〜１１Ｄの蛍光灯型照明器具１８を個別にＯＮ／ＯＦＦ操作できるように構成している。この電源スイッチ４６は、各盤状体単体１１Ａ〜１１Ｄの正面又は背面に向かって露出する垂直板部（前後両側板部２７ａ，２７ｂ）に取り付けることができる。勿論、先に説明したように、それぞれ電源コード４３を備えたグループ毎に１つの電源スイッチを設けることもできる。尚、各盤状体１０に２つの送風用ファン２５ａ，２５ｂが設けられているが、これら送風用ファン２５ａ，２５ｂは、蛍光灯型照明器具１８の電源回路とは別の、電源スイッチを備えた専用電源回路を介して電源コンセントに接続できるように構成しても良いし、蛍光灯型照明器具１８の電源回路に接続し、この送風用ファン２５ａ，２５ｂのみをＯＮ／ＯＦＦ操作するための電源スイッチを設けても良い。
【００３２】
以上のように構成された植物栽培用ラックは、用土を充填して播種又は苗の植付けを行なった植物栽培用コンテナＣを各段のコンテナ支持用棚１上の所定位置に載置して使用するのであるが、この各段のコンテナ支持用棚１に対する植物栽培用コンテナＣの出し入れに際しては、各段のコンテナ支持用棚１の上側に併設された囲い手段１２における正面側の囲い板単体１３ａ，１３ｂを、蝶番２０を利用して手前上方に開動させることができる。この手前上方に開動させた囲い板単体１３ａ，１３ｂは、チエンやロープなどの係止索で開動位置に保持できるように構成できるが、囲い板単体１３ａ，１３ｂが磁性金属板から構成されるときは、図８に仮想線で示すように、手前上方に開動させた囲い板単体１３ａ，１３ｂを吸着保持する磁石４７を、この囲い板単体１３ａ，１３ｂを軸支する盤状体単体１１Ａ，１１Ｃの前側に取り付けておくことができる。
【００３３】
而して、各段のコンテナ支持用棚１上に載置された植物栽培用コンテナＣ内の種子や苗は、当該コンテナＣ内の用土に対する散水や用土中に対する給水、各蛍光灯型照明器具１８の蛍光管１９ａ，１９ｂの点灯による光線の照射、送風用ファン２５ａ，２５ｂの稼働による囲い手段１２内の雰囲気の流動、及び施肥などを必要に応じて適宜実施しすることにより、育成することができる。
【００３４】
尚、上記実施例では、盤状体１０を構成する各盤状体単体１１Ａ〜１１Ｄを吊り具３２により直上のコンテナ支持用棚１や天井棚２など、この植物栽培用ラックを構成する部材に吊り下げたが、コンテナ支持用棚１や天井棚２を構成する棚板６〜９を支持する棚受け３３を転用して、各盤状体単体１１Ａ〜１１Ｄを所定レベルに支持させることもできる。即ち、図９に示すように、前記棚板６〜９を支持する棚受け３３は、各支柱３ａ〜５ｂにその長さ方向適当間隔おきに設けられた係止孔４８に棚受け両端の係止片４９を係合させることにより、任意の高さに水平に架設することができるものであるから、この棚板６〜９を支持するための棚受け３３と同一の棚受け５０を別に用意し、この棚受け５０を、各段のコンテナ支持用棚１の真上に位置するコンテナ支持用棚１又は天井棚２の直下で、右端側前後一対の支柱３ａ，３ｂの内側、中央部前後一対の支柱４ａ，４ｂの両側、及び左端側前後一対の支柱５ａ，５ｂの内側にそれぞれ同一レベルで架設することにより、盤状体１０を構成する各盤状体単体１１Ａ〜１１Ｄの両端を各棚受け５０に載置して、支柱３ａ〜５ｂに所定高さで支持させることができる。
【００３５】
上記のように棚受け５０を利用して各盤状体単体１１Ａ〜１１Ｄの両端を支柱３ａ〜５ｂに支持させるときは、図９の左半分に示すように、左右両側の囲い板単体１５ａ，１５ｂ及び１６ａ，１６ｂを、当該棚受け５０の垂直板部５０ａの外側（支柱３ａ〜５ｂに隣接する側）に止め具にて取り付けることが可能である。勿論、この棚受け５０を利用する場合でも、図９の右半分に示すように、左右両側の囲い板単体１５ａ，１５ｂ及び１６ａ，１６ｂを、各盤状体単体１１Ａ〜１１Ｄの底面（底板部２６）に止め具にて取り付けても良い。
【００３６】
以上の実施例では、下側空間が囲い手段１２の囲い板１３〜１６で囲まれる１つの盤状体１０を合計４つの盤状体単体１１Ａ〜１１Ｄで構成したが、この１つの盤状体１０を構成する盤状体単体の数は特に限定されるものではない。特に実施例のように棚奥行き方向に並ぶ盤状体単体１１Ａ，１１Ｂ（１１Ｃ，１１Ｄ）が使用されるときは、その前後２つの盤状体単体１１Ａ，１１Ｂ（１１Ｃ，１１Ｄ）どうしをボルトナットやビスなどの連結具により連結一体化するのが望ましい。又、実施例のように棚間口方向に並ぶ盤状体単体１１Ａ，１１Ｃ（１１Ｂ，１１Ｄ）が使用されるときは、その左右２つの盤状体単体１１Ａ，１１Ｃ（１１Ｂ，１１Ｄ）どうしを、中間の隙間を塞ぐカバー材３５Ａ（３５Ｂ）などを介して連結一体化することができる。
【産業上の利用可能性】
【００３７】
本発明の植物栽培用ラックは、組立てが容易な照明器具組み込みの植物栽培用ラックとして活用できる。
【符号の説明】
【００３８】
１    コンテナ支持用棚
２    天井棚
３ａ〜５ｂ    支柱
６〜９    棚板
１０    盤状体
１１Ａ〜１１Ｄ    盤状体単体
１２    囲い手段
１３〜１６    囲い板
１３ａ〜１６ｂ    囲い板単体（内側光反射面）
１７    盤状体単体下側面（光反射面）
１８    蛍光灯型照明器具
１９ａ，１９ｂ    蛍光管
１９ｃ〜１９ｆ    蛍光管ソケット
１９ｇ    安定器
２０    蝶番
２１〜２４    通風用開口
２５ａ，２５ｂ    送風用ファン
２６    盤状体単体の底板部
２７ａ，２７ｂ    盤状体単体の前後両側板部
２８ａ，２８ｂ    奥行き方向門形カバー材
２９    間口方向門形カバー材
３２    吊り具
３３，５０    棚受け
３５Ａ，３５Ｂ    カバー材
３６，３７    接続線
３８ａ，３８ｂ，４２ａ，４２ｂ    コネクタ
３９    電源接続コード
４１    電源中継コード
４３    電源コード
４６    電源スイッチ
【図１】
2011115099.tif 000003
【図２】
2011115099.tif 000004
【図３】
2011115099.tif 000005
【図４】
2011115099.tif 000006
【図５】
2011115099.tif 000007
【図６】
2011115099.tif 000008
【図７】
2011115099.tif 000009
【図８】
2011115099.tif 000010
【図９】
2011115099.tif 000011